(57)【要約】  各制御中継所に対してデータベースの組込み作業をする必要をなくし、バックアップ用にデータベースを変換することを不要にし、また、現地機器の対向試験をやり直す必要がない監視制御システムを提供する。  電力系統の現地機器３１１〜３１６に関するデータをマスターデータとして保存し、現地機器に変更があると、この変更に応じた差分データを生成し、マスターデータと差分データとからオブジェクトデータを生成して配信するデータベース管理装置１０と、受信したオブジェクトデータと差分データとを使用して現地機器の監視制御を行うと共にオブジェクトデータを配信する監視制御装置２０と、監視制御装置２０から今回受信したオブジェクトデータと前回受信したオブジェクトデータとを基に差分データを生成して保存し、監視制御装置２０の代わりに、今回受信したオブジェクトデータと保存してある差分データとを現地機器３１１〜３１６の監視制御に使用する監視制御装置３０とを備える。
2013132529.tif 000002
【特許請求の範囲】
【請求項１】
電力系統で用いられている遮断器等の現地機器に関するデータをマスターデータとして保存し、現地機器に変更があると、この変更に応じた差分データを生成し、前記マスターデータと前記差分データとからオブジェクトデータを生成して配信するデータベース管理装置と、
前記データベース管理装置からオブジェクトデータと差分データとを受信すると、このオブジェクトデータと差分データとを使用して前記現地機器の監視制御を行うと共に受信したオブジェクトデータを配信する、制御所の監視制御装置と、
前記制御所の監視制御装置からオブジェクトデータを受信すると、今回受信したオブジェクトデータと前回受信したオブジェクトデータとを基に差分データを生成して保存し、今回受信したオブジェクトデータと保存してある差分データとを現地機器の監視制御に使用する、バックアップ制御所の監視制御装置と、
を備えることを特徴とする監視制御システム。
【請求項２】
前記制御所の監視制御装置は、前記データベース管理装置からオブジェクトデータと差分データとを受信すると、このオブジェクトデータの対向試験を行い、この対向試験の終了後にこのオブジェクトデータを配信する、
ことを特徴とする請求項１に記載の監視制御システム。
【請求項３】
前記バックアップ制御所の監視制御装置は、今回受信したオブジェクトデータと、現用のオブジェクトデータとの差分に対応する差分データを、現地機器の監視制御の際に使用する、
ことを特徴とする請求項１または２に記載の監視制御システム。
【発明の詳細な説明】
【技術分野】
【０００１】
この発明は、電力系統で使用されている各種の機器の監視制御を行う監視制御システムに関する。
【背景技術】
【０００２】
電力会社は、電力系統により需要家に対して電力を供給している。電力系統は、例えば送電線、変圧器、遮断器などの設備機器で構成されている。電力会社の各制御所は、自所が管理する電力系統の各機器を、監視して制御している。このために、各制御所は、監視制御の対象である機器に関するデータをテーブルで表したデータベースを利用している。【０００３】
こうしたデータは監視制御のためには重要であるので、監視制御対象のデータのバックアップとしては、データファイルの属性に基づき、重要なデータファイルを優先的に伝送してバックアップを作成する等の処理がある。これにより、重要度の高いデータファイルを保護している（例えば、特許文献１参照。）。【０００４】
ところで、制御所の監視制御装置の故障等で運転継続ができなくなった場合のバックアップとして、制御中継所の監視制御装置を運用している。例えば、図９に示すように、制御所の監視制御装置２１０は、主計算機２１１、支援計算機２１２および運転卓２１３を備え、監視制御の対象である機器等に関するデータを、制御所データベース２１４として保存している。監視制御装置２１０の主計算機２１１は監視制御の主な機能を提供し、支援計算機２１２は監視制御を支援する機能を提供する。運転卓２１３は、監視制御のために担当者に操作される、複数の釦等を備えている。同じように、制御中継所の監視制御装置２２０、２３０は、主計算機２２１、２３１と運転卓２２２、２３２とを備えている。【０００５】
そして、制御所の監視制御装置２１０は、ソフトウェアと現地設備データや伝送データが登録されているデータベース２１４を使用して、現地機器３１１〜３１６の監視制御を実現している。現地機器３１１〜３１６は、遠方監視装置（テレコン：ＴＣ）３１１Ａ〜３１６Ａに接続されている。現地機器３１１〜３１６は、遠方監視装置３１１Ａ〜３１６Ａとデータの送受信を行う。また、遠方監視装置３１１Ａ〜３１６Ａは、情報集配信装置２４１、２４２と接続されている。情報集配信装置２４１、２４２は、遠方監視装置３１１Ａ〜３１６Ａとデータの送受信を行う。さらに、情報集配信装置２４１は制御所の監視制御装置２１０および制御中継所の監視制御装置２２０とデータの送受信を行い、情報集配信装置２４２は制御所の監視制御装置２１０および制御中継所の監視制御装置２３０とデータの送受信を行う。【０００６】
このように、１つの制御所に対して複数の制御中継所を設置し、制御中継所は、制御所の監視制御装置２１０のデータベース２１４を、各々の制御中継所の監視制御装置用に変換して使用している。【０００７】
現地機器の新設や取替工事などで、制御所の監視制御装置２１０のデータベース２１４を修正した場合、修正したデータベースを監視制御装置２１０へ組み込み、現地機器との対向試験を実施して、運用を開始する。制御所の監視制御装置２１０のバックアップである制御中継所の監視制御装置２２０、２３０のデータベース２２３、２３３も変更になるので、制御所の監視制御装置２１０のデータベース２１４を制御中継所の監視制御装置用に変換し、変換したデータベースを制御中継所の監視制御装置２２０、２３０に組込み、現地機器との対向試験を実施している。
【先行技術文献】
【特許文献】
【０００８】
【特許文献１】特開２００９−２４５２４８号公報
【発明の概要】
【発明が解決しようとする課題】
【０００９】
ところで、先に述べた、制御所の監視制御装置のバックアップを行う方式には、次の課題がある。この方式には、制御所の監視制御装置２１０のデータベース２１４を制御中継所の監視制御装置用に変換する必要がある。また、この方式には、変換したデータベースを制御中継所の監視制御装置２２０、２３０に組込むための作業が必要である。さらに、この方式には、制御中継所の監視制御装置２２０、２３０に組込まれたデータベースにより、現地機器３１１〜３１６との対向試験を実施する必要がある。【００１０】
この発明の目的は、前記の課題を解決し、各制御中継所に対してデータベースの組込み作業をする必要をなくし、バックアップ用にデータベースを変換することを不要にし、また、現地機器の対向試験をやり直す必要がない監視制御システムを提供することにある。
【課題を解決するための手段】
【００１１】
前記の課題を解決するために、請求項１の発明は、電力系統で用いられている遮断器等の現地機器に関するデータをマスターデータとして保存し、現地機器に変更があると、この変更に応じた差分データを生成し、前記マスターデータと前記差分データとからオブジェクトデータを生成して配信するデータベース管理装置と、前記データベース管理装置からオブジェクトデータと差分データとを受信すると、このオブジェクトデータと差分データとを使用して前記現地機器の監視制御を行うと共に受信したオブジェクトデータを配信する、制御所の監視制御装置と、前記制御所の監視制御装置からオブジェクトデータを受信すると、今回受信したオブジェクトデータと前回受信したオブジェクトデータとを基に差分データを生成して保存し、今回受信したオブジェクトデータと保存してある差分データとを現地機器の監視制御に使用する、バックアップ制御所の監視制御装置と、を備えることを特徴とする監視制御システムである。【００１２】
請求項１の発明では、データベース管理装置と、制御所の監視制御装置と、バックアップ制御所の監視制御装置とが設置されている。データベース管理装置は、電力系統で用いられている遮断器等の現地機器に関するデータをマスターデータとして保存し、現地機器に変更があると、この変更に応じた差分データを生成する。そして、制御所の監視制御装置は、マスターデータと差分データとからオブジェクトデータを生成して配信する。また、制御所の監視制御装置は、データベース管理装置からオブジェクトデータと差分データとを受信すると、このオブジェクトデータと差分データとを使用して現地機器の監視制御を行うと共に受信したオブジェクトデータを配信する。さらに、バックアップ制御所の監視制御装置は、制御所の監視制御装置からオブジェクトデータを受信すると、今回受信したオブジェクトデータと前回受信したオブジェクトデータとを基に差分データを生成して保存する。そして、例えば制御所の運転が停止した場合、バックアップ制御所の監視制御装置は、今回受信したオブジェクトデータと保存してある差分データとを現地機器の監視制御に使用する。【００１３】
請求項２の発明は、請求項１に記載の監視制御システムにおいて、前記制御所の監視制御装置は、前記データベース管理装置からオブジェクトデータと差分データとを受信すると、このオブジェクトデータの対向試験を行い、この対向試験の終了後にこのオブジェクトデータを配信する、ことを特徴とする。【００１４】
請求項３の発明は、請求項１または２に記載の監視制御システムにおいて、前記バックアップ制御所の監視制御装置は、今回受信したオブジェクトデータと、現用のオブジェクトデータとの差分に対応する差分データを、現地機器の監視制御の際に使用する、ことを特徴とする。
【発明の効果】
【００１５】
請求項１の発明によれば、従来の制御中継所を不要にしたので、データベースの変換や制御中継所の監視制御装置へのデータベース組込み作業や、データベースをバックアップ用に変換することを省略することができる。【００１６】
請求項２の発明によれば、バックアップ制御所の監視制御装置は、制御所の監視制御装置から、対向試験終了後のオブジェクトデータの配信を受けるので、現地機器との対向試験を省略することを可能にする。【００１７】
請求項３の発明によれば、現用のオブジェクトデータと、次回に使うオブジェクトデータとが順次に配信されたものでなくても、現用のオブジェクトデータと、次回に使うオブジェクトデータとの差分に対応する差分データを用いて、バックアップ制御所の監視制御装置による現地機器の監視制御を行うことができる。
【図面の簡単な説明】
【００１８】
【図１】実施の形態１による監視制御システムを示す構成図である。
【図２】データベース管理装置によるデータベースの管理を説明する説明図である。
【図３】制御所における計算機の各エリアを示す図である。
【図４】バックアップ制御所における計算機の各エリアを示す図である。
【図５】テーブル配信を説明する説明図である。
【図６】配信手順を説明する図であり、図６（ａ）は件名選択を示す図、図６（ｂ）は釦選択を示す図、図６（ｃ）は確認ダイヤログを示す図、図６（ｄ）は処理中ダイヤログを示す図、図６（ｅ）は確認ダイヤログを示す図、図６（ｆ）は処理中ダイヤログを示す図である。
【図７】配信手順を説明する図であり、図７（ａ）は件名選択を示す図、図７（ｂ）は釦選択を示す図、図７（ｃ）は確認ダイヤログを示す図、図７（ｄ）は処理中ダイヤログを示す図である。
【図８】バックアップ制御所における計算機の各エリアを示す図である。
【図９】従来のバックアップ方式を示す構成図である。
【発明を実施するための形態】
【００１９】
次に、この発明の各実施の形態について、図面を用いて詳しく説明する。なお、各実施の形態では、先に説明した図９と同一もしくは同一と見なされる構成要素には、それと同じ参照符号を付けて、その説明を省略する。
【００２０】
（実施の形態１）
この実施の形態による監視制御システムの一例を図１に示す。この監視制御システムは、電力系統内の各設備機器、この実施の形態では現地機器３１１〜３１６の監視制御を行うものであり、管理センターに設けられているデータベース管理装置１０と、制御所に設けられている監視制御装置２０と、バックアップ（ＢＵ）制御所に設けられている監視制御装置３０とを備えている。データベース管理装置１０と監視制御装置２０、３０とは、データの送受信が可能なように通信網ＮＷによって互いに接続されている。
【００２１】
管理センターのデータベース管理装置１０は、各機器に関するデータのデータベースであると共に各制御所で使用されるデータベースを管理している。図示を省略しているが、データベース管理装置１０は、通信網ＮＷとのデータ通信を可能にする装置や、計算機等で構成されている。
【００２２】
データベース管理装置１０は、次のようなデータをデータベースとして保存している。この様子を図２に示す。データベース管理装置１０は、現地機器３１１〜３１６に関するデータをマスターデータ１０Ａとし、このマスターデータ１０Ａをデータベースとして保存している。また、データベース管理装置１０は、変更された現地機器に関するデータである各差分データと、マスターデータ１０Ａとを基にオブジェクトデータ１０Ｂ１〜１０Ｂ３を生成し、データベースとしてオブジェクトデータ１０Ｂ１〜１０Ｂ３を記憶する。例えば、オブジェクトデータ１０Ｂ１に対する「メンテナンス件名１」は「△△負荷母線追加」であり、このメンテナンス件名１の差分データを反映したものが、オブジェクトデータ１０Ｂ１である。オブジェクトデータは制御所で現用データとして使用している。さらに、オブジェクトデータに対しては、内容の更新の状態を表すバージョン等もある。なお、図２では、オブジェクトデータ１０Ｂ１〜１０Ｂ３を「ＤＢ１」〜「ＤＢ３」で表している。
【００２３】
また、データベース管理装置１０は、現地機器が更新される毎に、差分データをメンテナンスデータとして作成する。このために、データベース管理装置１０は設備変更の処理を行う。つまり、制御所が管理する機器が更新されると、データベース管理装置１０は、制御所から機器更新データを受け取る。これにより、データベース管理装置１０は、更新された機器を表す機器更新データを、オブジェクトデータの差分を表す差分データとし、この差分データを用いて新たなメンテナンスデータを作成する。
【００２４】
データベース管理装置１０は、データベースを要求する要求信号を監視制御装置２０から受信すると、マスターデータ１０Ａと、差分データつまり最新のメンテナンスデータとを基に作成したオブジェクトデータを、発信元のデータベース管理装置１０に送信する。例えば、データベース管理装置１０は、オブジェクトデータ１０Ｂ２を送信する場合、オブジェクトデータ１０Ｂ１とオブジェクトデータ１０Ｂ２との差分データも付加して送信する。
【００２５】
データベース管理装置１０は、監視制御装置２０から試験終了信号を受信すると、監視制御装置２０の各計算機の将来エリア２０Ｂにオブジェクトデータを配信する。
【００２６】
制御所は、通信網ＮＷと情報集配信装置２４１、２４２と遠方監視装置３１１Ａ〜３１６Ａとを経て、現地機器３１１〜３１６とデータの送受信を行い、送受信したデータを基に、現地機器３１１〜３１６の監視制御を行う。このために、制御所の監視制御装置２０は、主計算機（ＭＰ）２１、支援計算機（ＳＰ）２２、試験訓練計算機（ＳＩＭ）２３、運転卓２４および通信装置２５を備え、制御所データベース２６に、監視制御の対象である機器等に関するデータを保存している。この他にも、図示を省略しているが、監視制御装置２０は各種の計算機などを備えている。監視制御装置２０の主計算機２１は監視制御の主な機能を提供し、支援計算機２２は監視制御を支援する機能を提供する。試験訓練計算機２３は、現地機器３１１〜３１６の対向試験を実施する。運転卓２４は監視制御のために担当者に操作される。通信装置２５は、通信網ＮＷを経た、各計算機によるデータの送受信を可能にする。
【００２７】
監視制御装置２０では、主計算機２１〜試験訓練計算機２３を含む各計算機が、オブジェクトデータ等を保存するエリアを持っている。この様子を図３に示す。監視制御装置２０の例えば主計算機２１は、現用エリア２０Ａと将来エリア２０Ｂと試験エリア２０Ｃとを持つ。現用エリア２０Ａには、現在の運用に必要とするオブジェクトデータが保存されている。将来エリア２０Ｂは、次回の運用切替時に現用に切り替えるためのデータを保存する。試験エリア２０Ｃは、自局における対向試験で使用するデータを保存する。図３は、ＤＢ１のオブジェクトデータが現用エリアに保存され、将来エリアと試験エリアとに、ＤＢ２のオブジェクトデータが保存されている状態を表している。
【００２８】
また、監視制御装置２０の運転卓２４が操作されて、対向試験等のためにデータベースの要求が入力されると、監視制御装置２０の例えば支援計算機２２が、通信装置２５を制御し、管理センターのデータベース管理装置１０に向けて、通信網ＮＷに要求信号を送信する。データベース管理装置１０からオブジェクトデータを受信すると、監視制御装置２０は、各計算機の試験エリア２０Ｃにオブジェクトデータを保存する。この後、監視制御装置２０の試験訓練計算機２３は、現地機器３１１〜３１６の対向試験を実施し、試験エリア２０Ｃに保存されているオブジェクトデータ妥当性を調べる。妥当確認が終了すると、監視制御装置２０の試験訓練計算機２３は、データベース管理装置１０に対して、試験終了信号を送信する。
【００２９】
この後、運転卓２４が操作されて、運用切替が入力されると、監視制御装置２０の例えば主計算機２１は、各計算機の将来エリア２０Ｂに保存されているオブジェクトデータを現用に切り替える。これにより、監視制御装置２０の主計算機２１は、将来エリア２０Ｂのオブジェクトデータを現用エリア２０Ａに保存する。これにより、運用切替が終了し、主計算機２１は、更新されたオブジェクトデータによる運用を開始する。このとき、監視制御装置２０は、オブジェクトデータの全部を切り替えるのは、システムの運用で負担になるので、オブジェクトデータに付加されている差分データを参照しながら、システムを運用している。
【００３０】
バックアップ制御所は、制御所に異常等が発生して制御所が使用できなくなったときに、制御所をバックアップするためのものである。このために、バックアップ制御所には担当者が常駐することはなく、制御所と同じタイミングで運用切替等をすることはない。しかし、バックアップ制御所の運用開始により、制御所と同じように、バックアップ制御所は通信網ＮＷと情報集配信装置２４１、２４２と遠方監視装置３１１Ａ〜３１６Ａとを経て、現地機器３１１〜３１６とデータの送受信を行い、送受信したデータを基に、現地機器３１１〜３１６の監視制御を行う。
【００３１】
バックアップ制御所の監視制御装置３０は、制御所と同じように、主計算機（ＭＰ）３１、支援計算機（ＳＰ）３２、試験訓練計算機（ＳＩＭ）３３、運転卓３４、および通信装置３５を備え、バックアップ制御所データベース（ＢＵ制御所ＤＢ）３７に、監視制御の対象である機器等に関するデータを保存している。この他にも、図示を省略しているが、監視制御装置３０は各種の計算機などを備えている。監視制御装置３０の主計算機３１は監視制御の主な機能を提供し、支援計算機３２は監視制御を支援する機能を提供する。試験訓練計算機３３は、現地機器３１１〜３１６の対向試験を実施する。運転卓３４は監視制御のために担当者に操作される。通信装置３５は、通信網ＮＷを経た、各計算機によるデータの送受信を可能にする。
【００３２】
監視制御装置３０では、主計算機３１〜試験訓練計算機３３を含む各計算機が、オブジェクトデータ等を保存するエリアを持っている。この様子を図４に示す。監視制御装置３０の例えば主計算機３１は、制御所の監視制御装置２０と同様に、現用エリア３０Ａと将来エリア３０Ｂと試験エリア３０Ｃとを持つ。図４は、現用エリアにＤＢ１のオブジェクトデータが保存され、将来エリアと試験エリアとにＤＢ２のオブジェクトデータが保存されている状態を表している。そして、監視制御装置３０は、制御所の監視制御装置２０と同じように、現用エリア３０Ａのオブジェクトデータと共に差分データを参照しながら、システムを運用している。
【００３３】
バックアップ制御所の監視制御装置３０は、さらに、差分生成サーバ３６を備えている。差分生成サーバ３６は、常時動作状態にあり、また、差分データを作成する機能を持つ。つまり、後述のテーブル配信処理により、監視制御装置３０に対して、制御所の監視制御装置２０からオブジェクトデータが配信されると、バックアップ制御所が無人の状態であっても、差分生成サーバ３６は、前回受信したオブジェクトデータと、今回受信したオブジェクトデータとの差分データを生成して保存する。制御所の監視制御装置２０がオブジェクトデータを配信する毎に、差分生成サーバ３６は、こうした差分データ生成処理を実行する。
【００３４】
次に、管理センターのデータベース管理装置１０と、制御所の監視制御装置２０と、バックアップ制御所の監視制御装置３０との間で行われるテーブル配信、つまりオブジェクトデータや差分データの配信について、この実施の形態による監視制御システムの作用と共に説明する。
【００３５】
電力設備の変更工事等があると、これによる現地機器の変更は、制御所の例えば監視制御装置２０の支援計算機２２から、管理センターのデータベース管理装置１０に送信される。これにより、データベース管理装置１０は差分データを生成する。
【００３６】
この後、制御所では、監視制御装置２０の運転卓２４が操作されて、最新のオブジェクトデータの対向試験実施が入力されると、監視制御装置２０の支援計算機２２は、対向試験のためのデータベースの要求信号を、管理センターのデータベース管理装置１０に送信する。これを受けて、データベース管理装置１０は、マスターデータと差分データとを基に、最新のオブジェクトデータを生成する。この後、データベース管理装置１０は、図５に示すように、制御所の監視制御装置２０の試験訓練計算機２３の試験エリアに、生成したオブジェクトデータと差分データとを送信し、試験のためのオブジェクトデータの等価をする（ステップＳ１）。
【００３７】
制御所の監視制御装置２０の試験訓練計算機２３は、オブジェクトデータと差分データとから成るデータベースを管理センターのデータベース管理装置１０から受信すると、現地機器３１１〜３１６の対向試験を行う。試験訓練計算機２３は、オブジェクトデータの妥当性を確認すると、運用切替の準備のためのデータベースの要求信号を、管理センターのデータベース管理装置１０に送信する。これを受けて、データベース管理装置１０は、最新のオブジェクトデータと差分データとを、制御所の各計算機の将来エリアに送信し、オブジェクトデータの等価をする（ステップＳ２）。
【００３８】
この後、制御所の運転卓２４が操作されて、運用切替が入力されると、各計算機の将来エリアの最新のオブジェクトデータと、現用エリアのオブジェクトデータとを切り替える（ステップＳ３）。これにより、制御所の主計算機２１は、最新のオブジェクトデータと差分データとにより、現地機器３１１〜３１６の監視制御を行う。
【００３９】
ステップＳ３が終了すると、制御所の監視制御装置２０は、所定の制約の基で、試験訓練計算機２３からバックアップ制御所の監視制御装置３０に、オブジェクトデータを配信する（ステップＳ４）。監視制御装置２０は、テーブル配信に関する次の機能要求を基に、バックアップ制御所の監視制御装置３０にオブジェクトデータを送信する。
（１）オブジェクトデータの配信先エリアは将来エリアと試験エリアとする。
（２）テーブル配信処理は、バックアップ制御所の計算機の将来エリア、試験エリアに対してオブジェクトデータを配信するために、オンライン業務に影響を与えることはない。
（３）テーブル配信要求時に、配信対象のオブジェクトデータに対するバージョン情報およびメンテナンス件名情報を送信することにより、データベース管理装置、制御所の監視制御装置およびバックアップ制御所の監視制御装置との間のオブジェクトデータのバージョン一致を保障する。
（４）制御所では、バックアップ制御所の主計算機へのオブジェクトデータの配信完了までを同調監視する。オブジェクトデータの配信後のバックアップ制御所向けデータ変更処理、差分データ生成処理および各計算機へのデータ配信処理については、バックアップ制御所で監視を実施し、故障が発生した場合は制御所へ通知する。
【００４０】
以上の４つの機能要求を基に、制御所の監視制御装置２０は、次の受付条件をすべて満たす場合、実行確認ダイアログを表示する。なお、１つでも受付条件を満たさない場合、監視制御装置２０は、メッセージダイアログを表示して、処理を中止する。
（１）将来エリアへの配信は、配信処理対象のメンテナンス件名の状態が「試験実施済」で、かつ、整合性チェックの実施状態が「済」である。試験エリアへの配信は、配信処理対象のメンテナンス件名が「自局試験実施済」、「試験実施済」で、かつ、整合性チェックの実施状態が「済」である。
（２）配信処理対象のメンテナンス件名のデータ生成状態は、「済」である。
（３）試験訓練計算機の運転モードが確立している。（「停止」モードも含む。）
（４）制御所の試験訓練計算機とバックアップ制御所の主計算機との通信が可能である。
（５）バックアップ制御所でデータメンテナンス中でない。（データ等価中、運用切替中、ＰＯＳ切替中でない。）
（６）バックアップ制御所の配信対象計算機の運転モードが確立している。（「停止」モードも含む。）
（７）バックアップ制御所のデータベースの差分生成サーバの運転モードが確立している。
（８）制御所でバックアップ制御所向けにテーブル配信中でない。
【００４１】
こうした制約の基で、具体的には、次の手順でオブジェクトデータの、将来エリアに対する配信が行われる。制御所の監視制御装置２０では、運転卓２４による一連の操作オペレーションにより、先ず、図６（ａ）に示すように、試験実施済みのメンテナンス件名を担当者が選択する。なお、図６（ａ）では、ハッチ部分により選択を表している。メンテナンス件名が選択されると、図６（ｂ）に示すように、「運用切替準備」の釦が担当者によって選択される。この後、図６（ｃ）に示すように、運用切替準備を実行するための確認ダイヤログで、「実行」が選択されると、図６（ｄ）に示すように、運用切替準備実行中を表すダイヤログにより、運用切替準備中であることが確認される。
【００４２】
制御所で運用切替準備が完了すると、図６（ｅ）に示すように、テーブル配信実行の確認ダイヤログが表示される。この確認ダイヤログで「実行」が選択されると、図６（ｆ）に示すように、テーブル配信の実行中を示す処理中ダイヤログが表示される。これにより、バックアップ制御所の監視制御装置３０には、運用切替準備の段階で、制御所の監視制御装置２０がオブジェクトデータを送信する。
【００４３】
また、次の手順でオブジェクトデータの、試験エリアに対する配信も可能である。バックアップ制御所の監視制御装置３０の試験エリアへの配信手順は、制御所の計算機別メンテナンス状態一覧画面より実施する。先ず、図７（ａ）に示すように、試験実施済みのメンテナンス件名を担当者が選択する。メンテナンス件名が選択されると、図７（ｂ）に示すように、「ＢＵ制御所配信」の釦が担当者によって選択される。この後、図７（ｃ）に示すように、テーブル配信エリア選択の確認ダイヤログで、「試験エリア」と「実行」が選択されると、図７（ｄ）に示すように、テーブル配信実行中を表すダイヤログにより、ＢＵ制御所配信中であることが確認される。
【００４４】
こうして、ステップＳ４で、制御所の試験訓練計算機２３からバックアップ制御所の監視制御装置３０にオブジェクトデータが配信されると、バックアップ制御所では、監視制御装置３０の差分生成サーバ３６が、制御所の監視制御装置２０から配信されたオブジェクトデータを受信する。差分生成サーバ３６は、前回受信したオブジェクトデータと、今回受信したオブジェクトデータとの差分データを生成して保存する。通常、制御所からは、メンテナンス件名に応じてオブジェクトデータが配信されてくるので、差分生成サーバ３６は、各メンテナンス件名毎に、前回のオブジェクトデータとの差分データを順次に保存していく。つまり、差分生成サーバ３６は、制御所での運用切替に同調して、差分データを生成する。
【００４５】
もし、バックアップ制御所が動作状態にされているときに、ステップＳ４が実行されると、つまり、オブジェクトデータの配信があると、バックアップ制御所の主計算機３１は、受信したオブジェクトデータを将来エリアに保存する。また、先に述べたように、受信したオブジェクトデータを基に差分生成サーバ３６が差分データを生成する。一方、ステップＳ４で、試験エリアに対する配信が実行されると、主計算機３１は、受信したオブジェクトデータを試験エリアに保存する。この場合には、バックアップ制御所において、現地機器３１１〜３１６の対向試験が可能である。
【００４６】
バックアップ制御所の主計算機３１がステップＳ４でオブジェクトデータを受信した後、バックアップ制御所で運用切替が入力されると、各計算機の将来エリアの最新のオブジェクトデータと、現用エリアのオブジェクトデータとが切り替えられる（ステップＳ５）。そして、主計算機３１は、差分生成サーバ３６が生成した差分データを読み出し、受信した最新のオブジェクトデータと差分データとにより、現地機器３１１〜３１６の監視制御を行う。
【００４７】
ところで、バックアップ制御所は、例えば制御所が使用できなくなった場合に運用されるので、バックアップ制御所には担当者が常駐することがない。このために、通常、バックアップ制御所では、制御所と同じタイミングで運用切替が行われることはない。例えば、図８に示すように、主計算機３１の現用エリア３０ＢにＤＢ３のオブジェクトデータが配信された場合、現用エリア３０ＡのオブジェクトデータがＤＢ１であることがある。制御所であれば、メンテナンス件名に応じて順次に運用切替が行われるので、現用エリア３０ＡのオブジェクトデータはＤＢ２になる。しかし、バックアップ制御所には担当者が常駐しないので、図８のケースでは、ＤＢ２のオブジェクトデータが配信されても、運用切替が行われていない。
【００４８】
そして、図８のケースで運用切替が行われると、主計算機３１は、ＤＢ３のオブジェクトデータと共にＤＢ３とＤＢ１との差分データを参照して、現地機器３１１〜３１６の監視制御を行う。一方、先に述べたように、差分生成サーバ３６は、オブジェクトデータを受信する毎に差分データを生成している。つまり、図８のケースでは、差分生成サーバ３６は、ＤＢ２とＤＢ１との差分データと、ＤＢ３とＤＢ２との差分データとを生成している。したがって、主計算機３１は、ＤＢ３とＤＢ１との差分データとして、ＤＢ２とＤＢ１との差分データと、ＤＢ３とＤＢ２との差分データとを差分生成サーバ３６から読み出し、これらの差分データとＤＢ３のオブジェクトデータとを用いて現地機器３１１〜３１６の監視制御を行う。
【００４９】
もし、バックアップ制御所が制御所と同じ用に、データベース管理装置１０から配信されたＤＢ３のオブジェクトデータと、ＤＢ３とＤＢ２との差分データとを用いると、主計算機３１が必要とする差分データと、オブジェクトデータとは不整合となり、運用に支障が発生する可能性がある。
【００５０】
こうして、この実施の形態によれば、従来の制御中継所を不要にしたので、データベースの変換や制御中継所の監視制御装置へのデータベース組込み作業や、データベースをバックアップ用に変換することを省略することができる。また、この実施の形態によれば、バックアップ制御所の監視制御装置３０は、試験訓練計算機２３からオブジェクトデータの配信を受けるので、現地機器３１１〜３１６の対向試験を省略することを可能にする。さらに、この実施の形態によれば、バックアップ制御所の監視制御装置３０において、現用エリアのオブジェクトデータと、将来エリアのオブジェクトデータとが、制御所の運用切替に同調して配信されたものでなくても、現用エリアのオブジェクトデータと、将来エリアのオブジェクトデータとの差分に対応する差分データを用いて、バックアップ制御所の監視制御装置３０による、現地機器３１１〜３１６の監視制御を行うことができる。
【００５１】
（実施の形態２）
この実施の形態では、実施の形態１におけるオブジェクトデータの配信を次のようにしている。実施の形態１では、バックアップ制御所に対するオブジェクトデータの配信を、制御所の担当者が手動で行っていた。これに対して、この実施の形態では、制御所の監視制御装置３０の試験訓練計算機２３がオブジェクトデータを受信したタイミング、または、制御所の運転卓２４に運用切替準備指示が入力されたタイミングで、制御所の試験訓練計算機２３がバックアップ制御所の差分生成サーバ３６に配信する。
【００５２】
この実施の形態によれば、制御所の監視制御装置２０からバックアップ制御所の監視制御装置３０に対するオブジェクトデータの配信を、自動で行うことができる。
【符号の説明】
【００５３】
１０  データベース管理装置
２０、３０  監視制御装置
２１、３１  主計算機
２２、３２  支援計算機
２３、３３  試験訓練計算機
２４、３４  運転卓
２５、３５  通信装置
２６、３７  制御所データベース
３６  差分生成サーバ
【図１】
2013132529.tif 000003
【図２】
2013132529.tif 000004
【図３】
2013132529.tif 000005
【図４】
2013132529.tif 000006
【図５】
2013132529.tif 000007
【図６】
2013132529.tif 000008
【図７】
2013132529.tif 000009
【図８】
2013132529.tif 000010
【図９】
2013132529.tif 000011
【国際調査報告】
2013132529.tif 000012
2013132529.tif 000013
2013132529.tif 000014
2013132529.tif 000015